(57)【特許請求の範囲】
【請求項１】
複数の放収音装置をネットワークを介して接続してなる放収音システムであって、
前記放収音装置は、音声を収音する収音部と、
音声を放音する放音部と、
呼び出しする装置を指定する個別呼び出し操作部と、
全装置を呼び出し指示する一斉呼び出し操作部と、
他の装置との遮断を指示する遮断操作部と、
前記個別呼び出し操作部で指定された装置、または前記一斉呼び出し操作部で呼び出し指示された全装置に、収音した音声を送信するとともに、その装置から音声を受信して放音する制御部と、
を備え、
前記制御部は、前記遮断操作部で遮断指示がされている場合、他の装置から受信した音声を放音せず、かつ収音した音声を他の装置に送信しないことを特徴とする放収音システム。
【請求項２】
前記制御部は、前記遮断操作部で遮断指示がされている状態で、他の装置から個別呼び出しに係る音声を受信した場合、着信音の音声を放音し、他の装置から一斉呼び出しに係る音声を受信した場合は、前記着信音の音声を放音しないことを特徴とする請求項１に記載の放収音システム。
【請求項３】
発話検出を行う発話検出部を備え、
前記制御部は、前記発話検出部が発話検出を行った場合、全装置を呼び出し指示されたとして、全装置に、収音した音声を送信するとともに、その装置から音声を受信して放音する請求項１、または請求項２に記載の放収音システム。
【請求項４】
自装置が一斉呼び出し中である旨、および個別呼び出し中である旨をそれぞれ区別して表示する表示部を備えた請求項１、請求項２、または請求項３に記載の放収音システム。
【請求項５】
前記制御部は、前記遮断操作部で遮断指示がされた場合、自端末が遮断された状態であることを示す情報を他の全ての端末に送信し、
前記表示部は、前記遮断操作部で遮断指示がされている場合、自装置が遮断状態である旨を表示し、
前記自端末が遮断された状態であることを示す情報を他の端末から受信した場合、当該他装置が遮断状態である旨を表示する請求項４に記載の放収音システム。
【発明の詳細な説明】
【技術分野】
【０００１】
この発明は、音声を収音するとともに音声を放音する放収音装置、およびこの放収音装置をネットワーク接続してなる放収音システムに関する。
【背景技術】
【０００２】
従来、インターホン通話を行う装置が提案されている。インターホン通話では、他の端末を一斉に呼び出し、全端末と通話することができる一斉呼び出し通話機能を備えているものが一般的である。
【０００３】
しかし、全端末が一斉に通話可能となると、本来通話を行いたくないユーザまで通話に参加することとなり、プライバシが損なわれてしまう。そこで、自端末から他端末への音声送信（送話）を解除する機能を備えたインターホン装置が提案されている（例えば特許文献１参照）。
【特許文献１】特開平１１−２７５２３８号公報
【発明の開示】
【発明が解決しようとする課題】
【０００４】
しかし、特許文献１の装置では、他端末から自端末への音声（受話）を解除することが出来なかった。
【０００５】
そこで、この発明は、ユーザの必要に応じて送話、受話ともに遮断することができる放収音システムを提供することを目的とする。
【課題を解決するための手段】
【０００６】
この発明の放収音システムは、ネットワークを介して他の装置と接続される放収音装置であって、音声を収音する収音部と、音声を放音する放音部と、呼び出しする装置を指定する個別呼び出し操作部と、全装置を呼び出し指示する一斉呼び出し操作部と、他の装置との遮断を指示する遮断操作部と、前記個別呼び出し操作部で指定された装置、または前記一斉呼び出し操作部で呼び出し指示された全装置に、収音した音声を送信するとともに、その装置から音声を受信して放音する制御部と、を備え、前記制御部は、前記遮断操作部で遮断指示がされている場合、他の装置から受信した音声を放音せず、かつ収音した音声を他の装置に送信しないことを特徴とする。
【０００７】
この構成では、特定の端末を呼び出しする個別呼び出し操作部、全端末を呼び出しする一斉呼び出し操作部、遮断を指示する遮断操作部を備えている。遮断を指示すると、他の端末の音声を放音しない。
【０００８】
また、この発明は、さらに、前記制御部は、前記遮断操作部で遮断指示がされている状態で、他の装置から個別呼び出しに係る音声を受信した場合、着信音の音声を放音し、他の装置から一斉呼び出しに係る音声を受信した場合は、前記着信音の音声を放音しないことを特徴とする。
【０００９】
この構成では、遮断を指示した状態であっても個別呼び出しがあれば着信音を放音する。そのため、遮断中であっても呼び出しがあったことを確認することができる。
【００１０】
また、この発明は、さらに、発話検出を行う発話検出部を備え、前記制御部は、前記発話検出部が発話検出を行った場合、全装置を呼び出し指示されたとして、全装置に、収音した音声を送信するとともに、その装置から音声を受信して放音することを特徴とする。
【００１１】
この構成では、発話検出により一斉呼び出しを行う。個別の呼び出し、遮断の指示はユーザが手動で行い、一斉呼び出しは発話により自動的に行われるようになる。
【００１２】
また、この発明は、さらに、自装置が一斉呼び出し中である旨、および個別呼び出し中である旨をそれぞれ区別して表示する表示部を備えたことを特徴とする。
【００１３】
この構成では、表示部によりどの端末から呼び出しが有ったか確認することができる。なお、表示部としては、ＬＣＤタッチパネルや、操作部に内蔵するＬＥＤ等が用いられる。
【００１４】
また、この発明は、さらに、前記制御部は、前記遮断操作部で遮断指示がされた場合、自端末が遮断された状態であることを示す情報を他の全ての端末に送信し、前記表示部は、前記遮断操作部で遮断指示がされている場合、自装置が遮断状態である旨を表示し、前記自端末が遮断された状態であることを示す情報を他の端末から受信した場合、当該他装置が遮断状態である旨を表示することを特徴とする。
【００１５】
この構成では、自装置、および他装置が遮断状態である旨を表示する。
【発明の効果】
【００１６】
この発明によれば、ユーザの必要に応じて送話、受話ともに遮断することができ、プライバシを保つことができる。
【発明を実施するための最良の形態】
【００１７】
以下、本発明に係る実施形態として、放収音システムについて説明する。図１は、放収音システムの構成を示すブロック図である。図２は、放収音システムに用いられる端末の外観を示す図である。図３は、端末の構成を示すブロック図である。
【００１８】
この放収音システムは、各部屋に設置された端末同士でインターホン通話を行うものであり、ユーザの操作により各端末から他の端末を一斉呼び出しして通話を行ったり、特定の端末を個別呼び出しして通話を行ったりするものである。
【００１９】
この放収音システムは、ＰＬＣ（PowerLine Communications）ネットワークを介して接続される複数の端末により実現される。なお、本発明におけるネットワークの態様はＰＬＣに限るものではない。なお、本実施形態においてはＡ／Ｄコンバータ、Ｄ／Ａコンバータ等を省略し、特に記載なき場合、装置内を伝達する音声信号は、全てデジタル音声信号とする。また、図２において、紙面上側を端末の背面方向、紙面下側を端末の正面方向、紙面右側を端末の左面方向、紙面左側を端末の右面方向とする。
【００２０】
図１において、この放収音システムは、複数（同図においては３つ）の端末１〜３を備えている。端末１〜３は、それぞれ部屋Ａ〜Ｃに設置されている。端末１〜３は全て同じ構成、機能を有しており、図２および図３においては、代表して端末１の構成を示す。なお、端末の数はこの例に限るものではない。
【００２１】
この端末１は、スピーカ１１Ａ、スピーカ１１Ｂ、スピーカ１１Ｃ、マイク１２Ａ、マイク１２Ｂ、マイク１３、収音処理部３０、エコーキャンセラ４、制御部５、放音処理部７、入出力インタフェース（Ｉ／Ｆ）９、操作部１５、および表示部１７を備えている。
【００２２】
端末１は、上面から見た形状が１辺１５ｃｍほどの正方形（または長方形）である直方体形状のコンパクトな筐体からなり、マイク１２Ａ、マイク１２Ｂ、およびマイク１３はメッシュ状の鋼板に覆われて筐体の上面の中心位置に設けられている。スピーカ１１Ａ、スピーカ１１Ｂ、およびスピーカ１１Ｃは、筐体の上面において筐体中心から等距離に、１２０度ずつ回転して設けられている。なお、図示はしていないが、スピーカ１１Ａ、スピーカ１１Ｂ、およびスピーカ１１Ｃもメッシュ状の鋼板に覆われている。
【００２３】
操作部１５は、筐体の上面のうち正面側の端部付近に設けられており、ユーザが行った操作に応じて操作信号を制御部５に送信する。制御部５は、入力された操作信号に応じて種々の動作を行う。操作部１５は、一斉呼び出しボタン１５１、個別呼び出しボタン１５２〜１５４、シャッタボタン（閉ボタン１５５および開ボタン１５６）を有する。また、各ボタンにはＬＥＤが内蔵されており、点灯、点滅などを行うことで表示部の機能を兼ねている。これらのボタンに設けられたＬＥＤが図３に示す表示部１７の機能を実現する。なお、操作部および表示部は、ＬＣＤタッチパネルにより構成されていてもよい。
【００２４】
ユーザが一斉呼び出しボタン１５１を押すと、端末１は他の全ての端末を呼び出し、ユーザが個別呼び出しボタン１５２〜１５４を押すと、端末１は特定の端末（ユーザが指定した端末）を呼び出す。ユーザが閉ボタン１５５を押すと、自端末、および他端末の音声を遮断する。詳細は後述する。
【００２５】
入出力Ｉ／Ｆ９は、筐体正面に設けられており、電源ケーブルや音声入力端子等を有する。この端末は、ＰＬＣによりネットワーク通信を行う端末であるため、家庭内のコンセントに接続される電源ケーブルがネットワークＩ／Ｆとなる。端末１は、これらのＩ／Ｆから音声信号を入出力する。図１において端末１は、入出力Ｉ／Ｆ９を介して、ネットワーク内の他の端末と所定のプロトコルに準じた音声情報として音声信号を送受信する。端末１は、一斉呼び出し時にはネットワーク内の全ての端末（端末２および端末３）に音声情報を送信する。個別呼び出し時には、特定の端末（端末２または端末３）に音声情報を送信する。
【００２６】
また、端末１は、入出力Ｉ／Ｆ９の音声入力端子から音声信号（アナログ、またはデジタル音声信号）を入力し、スピーカ１１Ａ〜１１Ｃを用いて放音するとともに、この音声を音声情報として他の端末に送信する。なお、操作部１５や入出力Ｉ／Ｆ９の配置は図２に示す例に限るものではない。
【００２７】
マイク１２Ａおよびマイク１２Ｂは、双指向性マイクである。また、マイク１３は、無指向性マイクである。これらのマイクが収音した音声信号は、収音処理部３０に入力される。収音処理部３０は、マイク１２Ａが収音した音声信号を増幅する増幅器３２Ａ、マイク１２Ｂが収音した音声信号を増幅する増幅器３２Ｂ、マイク１３が収音した音声信号を増幅する増幅器３３、各増幅器で増幅された音声信号を加算して後段のエコーキャンセラ４に出力するポストプロセッサ３５を備えている。
【００２８】
各増幅器の増幅量、およびポストプロセッサ３５の加算態様は、制御部５により設定される。制御部５がこれらの設定を行うことで、端末１の筐体周囲に複数方向の収音指向性を持たせることができる。すなわち、装置周囲の複数の収音領域から収音した音声信号の増幅量および位相を制御することで指向性を制御することができる。例えば、マイク１２Ａが収音した音声信号とマイク１３が収音した音声信号の増幅量を同一に設定し、マイク１２Ｂの増幅量をゼロすると、筐体背面方向の領域の音声が強調され、この方向に指向性が設定されることとなる。なお、本発明においてマイクの指向性を設定することは必須ではない。
【００２９】
図３において、エコーキャンセラ４は、放音処理部７からスピーカ１１Ａ、１１Ｂ、１１Ｃに供給される音声信号を入力する。これらの入力信号をそれぞれフィルタ処理し、収音信号から減算することでエコー成分を除去する。図４にエコーキャンセラ４の構成を示す。
【００３０】
エコーキャンセラ４は、スピーカ１１Ａ、１１Ｂ、１１Ｃに供給される音声信号をそれぞれ入力するエコーキャンセラ４Ａ、４Ｂ、４Ｃ、およびエコーキャンセラ４Ａ、４Ｂ、４Ｃの出力した信号を加算する加算器４３を備えている。エコーキャンセラ４Ａ、４Ｂ、４Ｃは全て同じ構成、機能を有する。以下、代表してエコーキャンセラ４Ａの構成、機能を説明する。エコーキャンセラ４Ａは、適応型フィルタ４１Ａ、および加算器４２Ａを含み、放音処理部７から入力されたスピーカ１１Ａに供給される音声信号を適応型フィルタ４１Ａに入力する。適応型フィルタ４１Ａは、この音声信号をフィルタ処理し、スピーカからマイクに回り込む回帰音声信号を擬似した擬似回帰音信号を生成する。加算器４２Ａは、この擬似回帰音信号を収音信号から減算することでエコー成分を除去する。エコー成分を除去された収音信号は、加算器４３に入力される。同様にして、エコーキャンセラ４Ｂ、４Ｃにおいても収音信号からエコー成分が除去され、加算器４３に入力される。加算器４３は、これらの信号を加算して入出力Ｉ／Ｆ９を介して他の端末に送信する。なお、エコー成分を除去した収音信号は、適応型フィルタ４１Ａに入力され、フィルタ係数の更新に用いられる。
なお、エコーキャンセラ４は、本発明において必須の構成要素ではないが、エコーキャンセラ４によりエコー成分を除去するため、複数の端末を用いて音声会議等を行う場合に好適である。
【００３１】
放音処理部７は、ディレイ７１Ａ、ディレイ７１Ｂ、ディレイ７１Ｃ、増幅器７２Ａ、増幅器７２Ｂ、および増幅器７２Ｃを備えている。各ディレイの遅延量、および各増幅器の増幅量は制御部５により設定される。制御部５がこれらの設定を行うことで、装置周囲の特定の位置に仮想音源を設定することができる。なお、スピーカの数、および配置の態様はこの例に限るものではなく、本発明において仮想音源を設定することは必須ではない。
【００３２】
次に、図５〜図７を参照して、放収音システムの動作を説明する。図５は、放収音システムの動作の一例（例１）を示す図である。同図に示す表の最左欄は、各状態の見出し（接続状態１〜４）を示し、その右欄（接続状態）は放収音システム内の音声情報の送受信状態を示し、右側３つの欄（端末１、端末２、端末３）は各端末の操作部および表示部の状態を示している。なお、表示部の表示態様（色、点灯、点滅等）は、図５〜図７の例に限るものではない。
【００３３】
まず、図５の状態１において、全ての端末は非接続状態となっている。このとき、全ての端末の一斉呼び出しボタン１５１はグリーンに点灯している。また、個別呼び出しボタンのうち、自己の端末を示すボタンはブルーに点灯し、他の端末を示すボタンはグリーンに点灯している。例えば、端末１において、個別呼び出しボタン１５２はブルーに点灯し、個別呼び出しボタン１５３および個別呼び出しボタン１５４はグリーンに点灯している。また、シャッタボタンのうち閉ボタン１５５は無灯となり、開ボタン１５６はグリーンに点灯している。
【００３４】
この状態で、端末１のユーザが一斉呼び出しボタン１５１を押下すると、端末１の制御部５は、端末１で収音した音声を他の全ての端末に送信するように設定する（状態２に移行する）。すなわち、端末１は、ネットワーク内の全端末を一斉呼び出しする。このとき、制御部５は、端末１の一斉呼び出しボタン１５１を点滅状態にする。また、端末２および端末３の制御部５は、個別呼び出しボタン１５２を点滅状態とする。端末１のユーザは、一斉呼び出しボタン１５１が点滅するので、自端末が一斉呼び出し状態であることを確認することができる。また、端末２および端末３のユーザは、端末１のボタンである個別呼び出しボタン１５２が点滅するので、端末１から呼び出しを受けていることを確認することができる。
【００３５】
次に、端末２のユーザが一斉呼び出しボタン１５１を押下すると、端末２の制御部５は、端末２で収音した音声を他の全ての端末に送信するように設定する（状態３に移行する）。すなわち、端末２は、ネットワーク内の全端末を一斉呼び出しする。これにより、端末１と端末２で相互に音声を送受信するようになり、端末３では、端末１で収音した音声と端末２で収音した音声が放音されることとなる。このとき、端末１の制御部５は、一斉呼び出しボタン１５１、および個別呼び出しボタン１５３を点滅状態とする。また、端末２の制御部５は、一斉呼び出しボタン１５１、および個別呼び出しボタン１５２を点滅状態とする。また、端末３の制御部５は、個別呼び出しボタン１５２および個別呼び出しボタン１５３を点滅状態とする。端末１のユーザは、一斉呼び出しボタン１５１および端末２のボタンである個別呼び出しボタン１５３が点滅するので、自端末と端末２が一斉呼び出し状態であることを確認することができる。また、端末２のユーザは、一斉呼び出しボタン１５１および端末１のボタンである個別呼び出しボタン１５２が点滅するので、自端末が一斉呼び出し状態であるとともに、端末１から呼び出しを受けていることを確認することができる。また、端末３のユーザは、端末１のボタンである個別呼び出しボタン１５２、および端末２のボタンである個別呼び出しボタン１５３が点滅するので、端末１と端末２から呼び出しを受けていることを確認することができる。
【００３６】
次に、端末３のユーザが一斉呼び出しボタン１５１を押下すると、端末３の制御部５は、端末３で収音した音声を他の全ての端末に送信するように設定する（状態４に移行する）。すなわち、端末３は、ネットワーク内の全端末を一斉呼び出しする。これにより、端末１、端末２、端末３で相互に音声を送受信するようになる。このとき、端末１の制御部５は、一斉呼び出しボタン１５１、個別呼び出しボタン１５３、および個別呼び出しボタン１５４を点滅状態とする。また、端末２の制御部５は、一斉呼び出しボタン１５１、個別呼び出しボタン１５２、および個別呼び出しボタン１５４を点滅状態とする。また、端末３の制御部５は、一斉呼び出しボタン１５１、個別呼び出しボタン１５２、および個別呼び出しボタン１５３を点滅状態とする。端末１のユーザは、一斉呼び出しボタン１５１、端末２のボタンである個別呼び出しボタン１５３、端末３のボタンである個別呼び出しボタン１５４が点滅するので、自端末、端末２、および端末３が一斉呼び出し状態であることを確認することができる。また、端末２のユーザは、一斉呼び出しボタン１５１、端末１のボタンである個別呼び出しボタン１５２、および端末３のボタンである個別呼び出しボタン１５４が点滅するので、自端末、端末１、端末３が一斉呼び出し状態であることを確認することができる。また、端末３のユーザは、一斉呼び出しボタン１５１、端末１のボタンである個別呼び出しボタン１５２、および端末２のボタンである個別呼び出しボタン１５３が点滅するので、自端末、端末１、端末２が一斉呼び出し状態であることを確認することができる。このように、各端末のユーザは、ネットワーク内の全ての端末が接続されている状態であると確認することができる。
【００３７】
次に、図６の状態１において、全ての端末は非接続状態となっている。この状態は、図５に示した状態１と同様である。この状態で、端末１のユーザがシャッタボタン（閉ボタン１５５）を押下すると、端末１の制御部５は、他の端末から受信した音声を放音しないように設定する（状態２に移行する）。このとき、端末１の制御部５は、閉ボタン１５５をアンバーに点灯し、開ボタン１５６を無灯状態とする。ここで、端末１の制御部５は、自端末が遮断された状態であることを示す情報を他の全ての端末に送信する。端末２の制御部５は、この情報を受信すると、個別呼び出しボタン１５２をアンバーに点灯する。また、端末３の制御部５は、個別呼び出しボタン１５２をアンバーに点灯する。端末１のユーザは、閉ボタン１５５がアンバーに点灯するので、自端末が遮断されている（他の端末の音声が放音されない）ことを確認することができる。また、端末２および端末３のユーザは、端末１のボタンである個別呼び出しボタン１５２がアンバーに点灯するので、端末１が遮断されており、端末１で音声が放音されないことを確認することができる。
【００３８】
この状態において、端末２のユーザが一斉呼び出しボタン１５１を押下すると、端末２の制御部５は、端末２で収音した音声を他の全ての端末に送信するように設定する（状態３に移行する）。すなわち、端末２は、ネットワーク内の全端末を一斉呼び出しする。ここで、端末１は、他の端末から受信した音声を放音しないように設定しており、端末２の音声は端末１で放音されない。一方で、端末３では、端末２で収音した音声が放音されることとなる。
【００３９】
このとき、端末１の制御部５は、個別呼び出しボタン１５３を点滅状態とする。また、端末２の制御部５は、一斉呼び出しボタン１５１を点滅状態とする。また、端末３の制御部５は、個別呼び出しボタン１５３を点滅状態とする。端末１のユーザは、端末２の音声を聞くことはないが、端末２のボタンである個別呼び出しボタン１５３が点滅するので、端末２が一斉呼び出し状態であることを確認することができる。また、端末２のユーザは、一斉呼び出しボタン１５１が点滅するので、自端末が一斉呼び出し状態であることを確認することができる。また、端末３のユーザは、端末２のボタンである個別呼び出しボタン１５３が点滅するので、端末２から呼び出しを受けていることを確認することができる。
【００４０】
次に、端末１のユーザがシャッタボタン（閉ボタン１５５または開ボタン１５６）を押下すると、端末１の制御部５は、他の端末から受信した音声を放音するように設定する（状態４に移行する）。その結果、端末２の音声が端末１で放音される状態となる。このとき、端末１の制御部５は、閉ボタン１５５を無灯状態とし、開ボタン１５６をグリーンに点灯する。また、端末２の制御部５は、個別呼び出しボタン１５２をグリーンに点灯する。また、端末３の制御部５は、個別呼び出しボタン１５２をグリーンに点灯する。端末１のユーザは、閉ボタン１５５が無灯状態となり、開ボタン１５６がグリーンに点灯するので、自端末の遮断が解除された（他の端末の音声が放音される）ことを確認することができる。また、端末２および端末３のユーザは、端末１のボタンである個別呼び出しボタン１５２がグリーンに点灯するので、端末１の遮断が解除され、端末１で音声が放音されることを確認することができる。
【００４１】
次に、図７の状態１において、全ての端末は非接続状態となっており、端末１の制御部５は、他の端末から受信した音声を放音しないように設定している。すなわち、図６の状態２と同様である。この状態で、端末２のユーザが個別呼び出しボタン１５２を押下すると、端末２の制御部５は、端末１を呼び出す（状態２に移行する）。なお、端末２の制御部５は、個別の端末を呼び出し中のとき、スピーカ１１Ａ〜１１Ｃから呼び出し音を放音する。呼び出し音の音声データはメモリ（図示せず）に記憶されており、制御部５がこれを読み出して放音する。このとき、端末２から端末１に音声が送信されるが、端末１ではその音声を放音せず、着信音を鳴らす。すなわち、端末１の制御部５は、入出力Ｉ／Ｆ９から音声情報を受信したとき、メモリから着信音の音声データを読み出して再生し、スピーカ１１Ａ〜１１Ｃから放音する。このとき、端末１の制御部５は、個別呼び出しボタン１５３を点滅状態にする。端末２の制御部５は、個別呼び出しボタン１５２を点滅状態にする。また、端末３の制御部５は、個別呼び出しボタン１５２および個別呼び出しボタン１５３を遅い点滅状態にする。
【００４２】
端末１のユーザは、端末２の音声を聞くことはないが、着信音が鳴り、個別呼び出しボタン１５３が点滅するので、端末２から個別の呼び出しを受けていることを確認することができる。また、端末２のユーザは、呼び出し音が鳴り、個別呼び出しボタン１５２が点滅するので、端末１を呼び出していることを確認することができる。また、端末３のユーザは、個別呼び出しボタン１５２および個別呼び出しボタン１５３が遅い点滅をするので、端末１と端末２が個別呼び出しを行っていることを確認することができる。
【００４３】
次に、端末１のユーザが個別呼び出しボタン１５３を押下し、端末２に応答を指示すると、端末１の制御部５は、端末２から受信した音声を放音するように設定する（状態３に移行する）。その結果、端末２の音声が端末１で放音される状態となり、端末１と端末２で個別通話が行われる。このとき、端末１の制御部５は、閉ボタン１５５を無灯状態とし、開ボタン１５６をグリーンに点灯する。また、個別呼び出しボタン１５３を遅い点滅状態とする。また、端末２の制御部５は、個別呼び出しボタン１５２をグリーンの遅い点滅状態とする。また、端末３の制御部５は、個別呼び出しボタン１５２をグリーンの遅い点滅状態とし、個別呼び出しボタン１５３を遅い点滅状態とする。端末１のユーザは、閉ボタン１５５が無灯状態となり、開ボタン１５６がグリーンに点灯し、個別呼び出しボタン１５３が遅い点滅状態となるので、自端末の遮断が解除され、端末２と個別通話を行っていることを確認することができる。また、端末２のユーザは、端末１のボタンである個別呼び出しボタン１５２がグリーンの遅い点滅状態となるため、端末１と個別通話を行っていることを確認することができる。また、端末３のユーザは、個別呼び出しボタン１５２および個別呼び出しボタン１５３がグリーンの遅い点滅状態となるので、端末１と端末２が個別通話を行っていることを確認することができる。
【００４４】
以上のように、本実施形態の端末では、一斉呼び出しボタン、個別呼び出しボタン、開閉ボタンを設け、他の端末の呼び出し、他の端末からの遮断を自由に指示することができインターホン通話の利便性を保ちながらプライバシを保つことができる。また、各ボタンが種々の点灯、点滅することにより、自端末の状態、他の端末の状態、呼び出しされている端末を確認することができる。また、遮断中にも個別の呼び出しが有った場合には着信音を鳴らすので、他のユーザからの個別呼び出しを妨げることがない。
【００４５】
なお、本実施形態では、一斉呼び出しボタン１５１により全端末を呼び出す例を示したが、発話検出を行った場合に全端末を呼び出すようにしてもよい。すなわち、収音処理部３０が信号レベルを検出し、所定の閾値以上の入力が有れば発話検出したとして、制御部５に発話検出情報を送信する。制御部５は、発話検出情報を受信した場合、全端末に音声情報を送信する。
【図面の簡単な説明】
【００４６】
【図１】放収音システムの構成を示すブロック図である。
【図２】端末の外観を示す図である。
【図３】端末の構成を示すブロック図である。
【図４】エコーキャンセラ４の構成を示すブロック図である。
【図５】放収音システムの動作の一例（例１）を示す図である。
【図６】放収音システムの動作の他の例（例２）を示す図である。
【図７】放収音システムの動作の他の例（例３）を示す図である。
【符号の説明】
【００４７】
１−端末
９−入出力Ｉ／Ｆ
１２Ａ、１２Ｂ、１３−マイク
１１Ａ、１１Ｂ、１１Ｃ−スピーカ
１５−操作部
１７−表示部
【図１】
0004946759.tif 000002
【図２】
0004946759.tif 000003
【図３】
0004946759.tif 000004
【図４】
0004946759.tif 000005
【図５】
0004946759.tif 000006
【図６】
0004946759.tif 000007
【図７】
0004946759.tif 000008